(57)【要約】      （修正有）【課題】吸気部の空気の流動抵抗による圧損を低減できるコンプレッサ用筐体を提供する。【解決手段】コンプレッサ用筐体を、コンプレッサを収容する直方体形状のコンプレッサ収容室筐体１１と、コンプレッサ収容室筐体１１に並設した直方体形状の吸気室筐体１２とを、一体に形成することで全体形状を直方体形状に構成し、吸気室筐体１２のコンプレッサ収容室筐体１１の反対側の側面部の上部に外気を取り入れるための第１の開口３１を、コンプレッサ収容室筐体１１側の側面部の下部に、第１の開口３１から取り入れた外気をコンプレッサ収容室筐体１１内に送り出すための第２の開口３２を、それぞれ形成し、第１の開口３１の下端縁と吸気室筐体１２のコンプレッサ収容室筐体１１側の上部角部を結ぶ面及び第２の開口３２の上端縁と吸気室筐体１２のコンプレッサ収容室筐体１１の反対側の下部角部を結ぶ面に沿って、複数の整流ベーン３３を配設する。【選択図】図６
0003227394.tif 000002
【実用新案登録請求の範囲】
【請求項１】
コンプレッサを収容し、吸気部及び排気部を形成するようにしたコンプレッサ用筐体において、前記コンプレッサ用筐体を、コンプレッサを収容する直方体形状のコンプレッサ収容室筐体と、該コンプレッサ収容室筐体に並設した直方体形状の吸気室筐体とを、一体に形成することで全体形状を直方体形状に構成し、吸気室筐体のコンプレッサ収容室筐体の反対側の側面部の上部に外気を取り入れるための第１の開口を、コンプレッサ収容室筐体側の側面部の下部に、第１の開口から取り入れた外気をコンプレッサ収容室筐体内に送り出すための第２の開口を、それぞれ形成し、第１の開口の下端縁と吸気室筐体のコンプレッサ収容室筐体側の上部角部を結ぶ面及び第２の開口の上端縁と吸気室筐体のコンプレッサ収容室筐体の反対側の下部角部を結ぶ面に沿って、複数の整流ベーンを配設してなることを特徴とするコンプレッサ用筐体。
【請求項２】
前記吸気室筐体のコンプレッサ収容室筐体側の上部角部及び吸気室筐体のコンプレッサ収容室筐体の反対側の下部角部に、コーナーベーンを配設してなることを特徴とする請求項１に記載のコンプレッサ用筐体。
【請求項３】
前記コンプレッサ収容室筐体の天面部に、ダクト形状の排気部を配設してなることを特徴とする請求項１又は２に記載のコンプレッサ用筐体。
【考案の詳細な説明】
【技術分野】
【０００１】
本考案は、コンプレッサを収容するために用いられるコンプレッサ用筐体に関するものである。
【背景技術】
【０００２】
従来、コンプレッサを収容するためのコンプレッサ用筐体が汎用されている。
そして、このコンプレッサ用筐体については、コンプレッサの騒音を筐体の外部へ出さないようにするための防音構造の工夫、研究が進められている（例えば、特許文献１〜２参照。）。
【先行技術文献】
【特許文献】
【０００３】
【特許文献１】特開２００９−１７４４９０号公報
【特許文献２】特表２０１５−５１２４９２号公報
【考案の概要】
【考案が解決しようとする課題】
【０００４】
ところで、従来のコンプレッサ用筐体の防音構造は、構造が複雑で、吸気部の空気の流動抵抗による圧損が大きくなるという問題があった。
【０００５】
本考案は、上記従来のコンプレッサ用筐体の防音構造の有する問題点に鑑み、構造が簡単で、吸気部の空気の流動抵抗による圧損を低減できるコンプレッサ用筐体を提供することを目的とする。
【課題を解決するための手段】
【０００６】
上記目的を達成するため、本考案のコンプレッサ用筐体は、コンプレッサを収容し、吸気部及び排気部を形成するようにしたコンプレッサ用筐体において、前記コンプレッサ用筐体を、コンプレッサを収容する直方体形状のコンプレッサ収容室筐体と、該コンプレッサ収容室筐体に並設した直方体形状の吸気室筐体とを、一体に形成することで全体形状を直方体形状に構成し、吸気室筐体のコンプレッサ収容室筐体の反対側の側面部の上部に外気を取り入れるための第１の開口を、コンプレッサ収容室筐体側の側面部の下部に、第１の開口から取り入れた外気をコンプレッサ収容室筐体内に送り出すための第１の開口を、それぞれ形成し、第１の開口の下端縁と吸気室筐体のコンプレッサ収容室筐体側の上部角部を結ぶ面及び第２の開口の上端縁と吸気室筐体のコンプレッサ収容室筐体の反対側の下部角部を結ぶ面に沿って、複数の整流ベーンを配設してなることを特徴とする。
【０００７】
この場合において、前記吸気室筐体のコンプレッサ収容室筐体側の上部角部及び吸気室筐体のコンプレッサ収容室筐体の反対側の下部角部に、コーナーベーンを配設することができる。
【０００８】
また、前記コンプレッサ収容室筐体の天面部に、ダクト形状の排気部を配設することができる。
【考案の効果】
【０００９】
本考案のコンプレッサ用筐体によれば、従来のコンプレッサ用筐体の防音構造の有する問題点を解消し、構造が簡単で、吸気部の空気の流動抵抗による圧損を低減できるコンプレッサ用筐体を提供することができる。
【図面の簡単な説明】
【００１０】
【図１】本考案のコンプレッサ用筐体の一実施例を示す正面図である。
【図２】同平面図である。
【図３】同背面図である。
【図４】同左側面図である。
【図５】同右側面図である。
【図６】同吸気室筐体を示し、（ａ）は平断面図、（ｂ）は縦断面図である。
【考案を実施するための形態】
【００１１】
以下、本考案のコンプレッサ用筐体の実施の形態を、図面に基づいて説明する。
【００１２】
図１〜図６に、本考案のコンプレッサ用筐体の一実施例を示す。
このコンプレッサ用筐体１は、コンプレッサ２（本実施例においては、パッケージ型コンプレッサ。）を収容し、吸気部３及び排気部４を形成するようにしたもので、コンプレッサ用筐体１を、コンプレッサ２を収容する直方体形状のコンプレッサ収容室筐体１１と、コンプレッサ収容室筐体１１に並設した、吸気部３を構成する直方体形状の吸気室筐体１２とを、一体に形成することで全体形状を直方体形状に構成し、吸気室筐体１２のコンプレッサ収容室筐体１１の反対側の側面部の上部に外気を取り入れるための第１の開口３１を、コンプレッサ収容室筐体１１側の側面部の下部に、第１の開口から取り入れた外気をコンプレッサ収容室筐体１１内に送り出すための第２の開口３２を、それぞれ形成し、第１の開口３１の下端縁と吸気室筐体１２のコンプレッサ収容室筐体１１側の上部角部を結ぶ面及び第２の開口３２の上端縁と吸気室筐体１２のコンプレッサ収容室筐体１１の反対側の下部角部を結ぶ面に沿って、複数（本実施例においては、それぞれ５個ずつ。）の整流ベーン３３を間隔をあけて配設するようにしている。
【００１３】
この場合において、第１の開口３１及び第２の開口３２は、吸気室筐体１２の幅方向の略全長に亘って形成するようにしている。
【００１４】
整流ベーン３３（後述のコーナーベーン３４、３５も同様。）は、吸気室筐体１２の幅方向の略全長に亘って配設するようにしている。
この場合、吸気室筐体１２の幅方向の略全長に亘る長さの部材を用いたり、複数に分割した部材を中間部に設けたガイド部材（図示省略）を介して取り付けるようにしたりすることができる。
整流ベーン３３には、板状のベーンと比較して圧損係数の小さい、曲率半径の異なる板材を組み合わせて構成した立体構造のベーンを用いるようにしている。
また、吸気室筐体１２のコンプレッサ収容室筐体１１側の上部角部及び吸気室筐体１２のコンプレッサ収容室筐体１１の反対側の下部角部に、コーナーベーン３４、３５を、それぞれ配設するようにしている。
これにより、構造が簡単で、吸気部３の空気の流動抵抗による圧損を低減できるようにしている。
【００１５】
第１の開口３１は、金網（図示省略）で覆うとともに、吸気フード３６を配設するようにしている。
【００１６】
コンプレッサ収容室筐体１１の天面部に、ダクト形状の排気部４を配設するようにしている。
【００１７】
コンプレッサ収容室筐体１１には、遮音ガラスからなる窓１３及び換気扇１４を設けるとともに、換気扇１４には、換気扇フード１５を配設するようにしている。
【００１８】
コンプレッサ用筐体１（コンプレッサ収容室筐体１１、吸気室筐体１２）、換気扇フード１５、吸気フード３６、排気部４等は、板金構造とするとともに、必要に応じて、吸音材を設けるようにしている。
【００１９】
以上、本考案のコンプレッサ用筐体について、複数の実施例に基づいて説明したが、本考案は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２０】
本考案のコンプレッサ用筐体は、構造が簡単で、吸気部の空気の流動抵抗による圧損を低減できるコンプレッサ用筐体という特性を有していることから、パッケージ型コンプレッサを収容する筐体の用途に好適に用いることができるほか、各種コンプレッサを収容する筐体の用途に広く用いることができる。
【符号の説明】
【００２１】
１  コンプレッサ用筐体
１１  コンプレッサ収容室筐体
１２  吸気室筐体
１３  窓
１４  換気扇
１５  換気扇フード
２  コンプレッサ
３  吸気部
３１  第１の開口
３２  第２の開口
３３  整流ベーン
３４  コーナーベーン
３５  コーナーベーン
３６  吸気フード
４  排気部
【図１】
0003227394.tif 000003
【図２】
0003227394.tif 000004
【図３】
0003227394.tif 000005
【図４】
0003227394.tif 000006
【図５】
0003227394.tif 000007
【図６】
0003227394.tif 000008